(57)【要約】【課題】電池の装着を容易とする電池ケースの導電板構造を提供する。【解決手段】隣り合って装着される一方の電池の陽極および他方の電池の陰極に夫々圧接する端子２ｂ、２ｅが帯状部の両端に一体に形成されており、前記端子２ｂ、２ｅが電池ケースのスリットに挿入されて電池ケースに装着される導電板において、前記端子２ｂ、２ｅは前記スリット内に挿入され、電池の電池ケースへの挿入に伴い変位される平面部を有しており、前記平面部から同一平面上に延びる基端部から傾斜するように設けられた爪が前記電池ケースの電池収容部に対して外側に向けて傾斜し、かつ前記爪の前記基端部からの高さが前記スリットの幅より大きく、前記基端部は前記スリットにより前記電池収容部方向への変位が規制され、さらに、前記端子の少なくとも一方の上部が前記電池収容部方向に向けて突出するようにく字形に曲げられており、前記導電板が前記爪とスリットとの圧接により抜け止めがなされるように構成した。【選択図】図１
2008047551.tif 000002
【特許請求の範囲】
【請求項１】
隣り合って装着される一方の電池の陽極および他方の電池の陰極に夫々圧接する端子が帯状部の両端に一体に形成されており、前記端子が電池ケースのスリットに挿入されて電池ケースに装着される導電板において、前記端子は前記スリット内に挿入され、電池の電池ケースへの挿入に伴い変位される平面部を有しており、前記平面部から同一平面上に延びる基端部から傾斜するように設けられた爪が前記電池ケースの電池収容部に対して外側に向けて傾斜し、かつ前記爪の前記基端部からの高さが前記スリットの幅より大きく、前記基端部は前記スリットにより前記電池収容部方向への変位が規制され、さらに、前記端子の少なくとも一方の上部が前記電池収容部方向に向けて突出するようにく字形に曲げられており、前記導電板が前記爪とスリットとの圧接により抜け止めがなされるように構成した電池ケースの導電板。
【発明の詳細な説明】
【技術分野】
【０００１】
この発明は電池ケースに係わり、特に電池の挿入を容易にする電池ケースの導電板構造に関する。
【背景技術】
【０００２】
従来の電子機器における電池ケースの例を図９および図１０に示す。図における１は樹脂製の電池ケースであり、図における下側に電池を収容する空所を有する箱形に形成されている。電池ケース１にはスリット１ａ、１ａ…が設けられており、このスリット１ａ、１ａ…に導電板４の−側端子４ｂおよび＋側端子４ｅが挿入されて電池ケース１に導電板４が嵌着される。
【０００３】
図に示す導電板４は電池ケース１に隣り合って装着される電池の陽極および陰極を接続するもので装着される電池の数より１個少ない数だけ使用されるが図では導電板４を１個のみ示している。導電板４の他の直列に接続される両端の電子の陽極および陰極に接続される端子は図示していない。
【０００４】
導電板４の帯状部４ａの両端には−側端子４ｂと＋側端子４ｅが折り曲げられて形成されている。−側端子４ｂと同一平面上に延びる基端部４ｃ、４ｃから爪４ｄ、４ｄが内側に傾斜するように折り曲げられて形成されている。同様に＋側端子４ｅと同一平面上に延びる基端部４ｆ、４ｆから爪４ｇ、４ｇが内側に傾斜するように折り曲げられて形成されている。
【０００５】
図１０に示すように、爪４ｄおよび４ｇの高さＨはスリット１ａの爪４ｄおよび４ｇが挿入される部分の幅Ｗより大きい。そのために導電板４が電池ケース１に嵌着されたとき爪４ｄおよび４ｇの先端部がスリット１ａの壁面に圧接されて導電板４の抜け止めがなされる。
【０００６】
図１１（ａ）は電池ケース１に導電板４が挿入されるときの位置関係を示し、図１１（ｂ）は電池ケース１のスリット１ａの開口部を示す。図１１（ａ）に示す位置で導電板４の−側端子４ｂが矢印方向にスリット１ａに挿入される。このとき＋側端子も同時にスリットに挿入される。
【０００７】
図１２に−側端子４ｂがスリット１ａに挿入されるときの状態を示す。図１２（ａ）は爪４ｄがまだスリット１ａに入っていない状態を示す。図１２（ｂ）は爪４ｄがスリット１ａの角に接触した状態を示す。図１２（ｃ）は−側端子４ｂがさらにスリット１ａに挿入されて爪４ｄがスリット１ａに押された状態を示す。爪４ｄがスリット１ａに押されると、−側端子４ｂは爪４ｄと基端部４ｃとの折り曲げ角部を支点として図１２（ｃ）における時計方向の曲げモーメントを受けるこのため−側端子４ｂは電池収容部の内側に向けて曲げられる。
【０００８】
図１３は爪４ｄが完全にスリット１ａに入り込んだ状態を示している。このとき導電板の−側端子４ｂは電池収容部の内側に向けて曲げられた状態となる。＋側端子４ｅも同様に電池収容部の内側に向けて曲げられた状態となる。
【０００９】
図１４は電池ケース１に電池３を挿入するときの様子を示している。電池３は陽極３ａが下がったように傾斜した状態で挿入されるが、−側端子４ｂと＋側端子４ｅが内側に傾斜しているため、陽極３ａは＋側端子４ｅの内側に入るが電池３の陰極３ｂは−側端子４ｂに突き当たり電池ケース１に電池３を挿入することが困難である。
【００１０】
図１５は電池３を陰極３ｂが下がったように傾斜した状態で電池ケース１に挿入する様子を示している。−側端子４ｂと＋側端子４ｅが内側に傾斜しているため、陰極３ｂは−側端子４ｂの内側に入るが電池３の陽極３ａは＋側端子４ｅに突き当たり電池ケース１に電池３を挿入することが困難である。
【００１１】
図１６は電池３の陰極３ｂと陽極３ａが共に−側端子４ｂと＋側端子４ｅの内側に入るように傾斜させて挿入する状態を示しており、この場合は電池ケース１に電池３を挿入することができるが、このうように電池３が挿入できる傾斜角度の範囲が狭く、電池の挿入が困難であった。
【００１２】
特開平４−２９３０９４号に記載された圧電サウンダの端子は爪が圧電振動板の収容部に対して外側に傾斜しているが、端子は圧電振動板の電極に圧接されるものでなく電極に半田付けされるものである。従って、この端子は圧電振動板の装着を容易とするという効果を奏するものではない。
【特許文献１】特開平４−２９３０９４号公報（第３頁、図３）
【発明の開示】
【発明が解決しようとする課題】
【００１３】
この発明は上記した点に鑑みてなされたものであって、その目的とするところは、電池の装着を容易とする電池ケースの導電板を提供することにある。
【課題を解決するための手段】
【００１４】
この発明の電池ケースの導電板は、隣り合って装着される一方の電池の陽極および他方の電池の陰極に夫々圧接する端子が帯状部の両端に一体に形成されており、前記端子が電池ケースのスリットに挿入されて電池ケースに装着される導電板において、前記端子は前記スリット内に挿入され、電池の電池ケースへの挿入に伴い変位される平面部を有しており、前記平面部から同一平面上に延びる基端部から傾斜するように設けられた爪が前記電池ケースの電池収容部に対して外側に向けて傾斜し、かつ前記爪の前記基端部からの高さが前記スリットの幅より大きく、前記基端部は前記スリットにより前記電池収容部方向への変位が規制され、さらに、前記端子の少なくとも一方の上部が前記電池収容部方向に向けて突出するようにく字形に曲げられており、前記導電板が前記爪とスリットとの圧接により抜け止めがなされるように構成したものである。
【発明の効果】
【００１５】
この発明の導電板によると、電池ケースに電池を容易に挿入することができる。
【発明を実施するための最良の形態】
【００１６】
この発明の実施例の電池ケースの導電板構造を図面に基づいて説明する。図１に示す導電板２は従来例で示した電池ケース１に嵌着されるものである。導電板２は従来例と同様に隣り合って装着される電池の陽極および陰極を接続するもので装着される電池の数より１個少ない数だけ使用される。
【００１７】
導電板２の帯状部２ａの両端には−側端子２ｂと＋側端子２ｅが折り曲げられて形成されている。−側端子２ｂと同一平面上に延びる基端部２ｃ、２ｃから爪２ｄ、２ｄが外側に傾斜するように折り曲げられて形成されている。同様に＋側端子２ｅと同一平面上に延びる基端部２ｆ、２ｆから爪２ｇ、２ｇが外側に傾斜するように折り曲げられて形成されている。
【００１８】
図５（ａ）に示すように、爪２ｄの高さＨはスリット１ａの爪２ｄが挿入される部分の幅Ｗより大きい。爪２ｇも同様である。そのために導電板２が電池ケース１に嵌着されたとき爪２ｄおよび２ｇの先端部がスリット１ａの壁面に圧接されて導電板２の抜け止めがなされる。
【００１９】
図４（ａ）は電池ケース１に導電板２が挿入されるときの位置関係を示し、図４（ｂ）は電池ケース１のスリット１ａの開口部を示す。図４（ａ）に示す位置で導電板２の−側端子２ｂが矢印方向にスリット１ａに挿入される。このとき＋側端子も同時にスリットに挿入される。
【００２０】
図５に−側端子２ｂがスリット１ａに挿入されるときの状態を示す。図５（ａ）は爪２ｄがまだスリット１ａに入っていない状態を示す。図５（ｂ）は爪２ｄがスリット１ａの角に接触した状態を示す。図５（ｃ）は−側端子２ｂがさらにスリット１ａに挿入されて爪２ｄがスリット１ａに押された状態を示す。爪２ｄがスリット１ａに押されると、−側端子２ｂは爪２ｄと基端部２ｃとの折り曲げ角部を支点として図５（ｃ）における反時計方向の曲げモーメントを受けるこのため−側端子２ｂは電池収容部の外側に向けて曲げられる。
【００２１】
図６は爪２ｄが完全にスリット１ａに入り込んだ状態を示している。このとき導電板の−側端子２ｂは電池収容部の外側に向けて曲げられた状態となる。＋側端子２ｅも同様に電池収容部の外側に向けて曲げられた状態となる。
【００２２】
図２は電池ケース１に電池３を挿入するときの様子を示している。電池３は陽極３ａが下がったように傾斜した状態で挿入されるが、−側端子２ｂと＋側端子２ｅが外側に傾斜しているため、陽極３ａおよび陰極３ｂは共に−側端子２ｂと＋側端子２ｅの内側に入り電池３を挿入することができる。
【００２３】
図３は電池３を陰極３ｂが下がったように傾斜した状態で挿入する様子を示している。この場合も−側端子２ｂと＋側端子２ｅが外側に傾斜しているため、陽極３ａおよび陰極３ｂは共に−側端子２ｂと＋側端子２ｅの内側に入り電池３を挿入することができる。このように実施例の導電板構造では電池ケースに電池を容易に挿入することができる。
【００２４】
図７に実施例の導電板２が電池ケース１に嵌着された状態を示す。導電板２の−側端子２ｂと＋側端子２ｅの外面の間隔Ｌ２がスリット１ａ、１ａの外側面の間隔よりＬ１より小さい。このため、導電板２の帯状部２ａが電池ケース１から浮き上がることはない。
【００２５】
図８に参考例の導電板５が電池ケース１に嵌着された状態を示す。この例では導電板５の−側端子５ｂと＋側端子５ｅの外面の間隔がスリット１ａ、１ａの外側面の間隔よりＬ１より小さくない。このため、導電板５の帯状部５ａが電池ケース１から浮き上がる。このように導電板５の帯状部５ａが電池ケース１から浮き上がると、その上にプリント基板が配置される場合プリント基板のパターンがショートすることがあるが、実施例の導電板はこのような不都合がない。
【図面の簡単な説明】
【００２６】
【図１】この発明の実施例である電池ケースの導電板を示す斜視図である。
【図２】同電池ケースの作用を示す側面図である。
【図３】同電池ケースの作用を示す側面図である。
【図４】同電池ケースと導電板の部分を示す斜視図である。
【図５】同導電板の端子が同電池ケースのスリットに挿入される状態を示す断面図である。
【図６】同導電板の端子が同電池ケースのスリットに挿入された状態を示す断面図である。
【図７】同導電板の端子が同電池ケースのスリットに挿入された状態を示す断面図である。
【図８】この発明の参考例の導電板の端子が電池ケースのスリットに挿入された状態を示す断面図である。
【図９】従来の電池ケースと導電板の例を示す斜視図である。
【図１０】同電池ケースと導電板を示す断面図である。
【図１１】同電池ケースと導電板の部分を示す斜視図である。
【図１２】同導電板の端子が同電池ケースのスリットに挿入される状態を示す断面図である。
【図１３】同導電板の端子が同電池ケースのスリットに挿入された状態を示す断面図である。
【図１４】同電池ケースの作用を示す側面図である。
【図１５】同電池ケースの作用を示す側面図である。
【図１６】同電池ケースの作用を示す側面図である。
【符号の説明】
【００２７】
１  電池ケース、１ａ  スリット
２  導電板、２ａ  帯状部、２ｂ  −側端子、２ｃ  基端部、２ｄ  爪
２ｅ  ＋側端子、２ｆ  基端部、２ｇ  爪
３  電池、３ａ  陽極、３ｂ  陰極
４  導電板、４ａ  帯状部、４ｂ  −側端子、４ｃ  基端部、４ｄ  爪
４ｅ  ＋側端子、４ｆ  基端部、４ｇ  爪
５  導電板、５ａ  帯状部、５ｂ  −側端子、５ｅ  ＋側端子
【図１】
2008047551.tif 000003
【図２】
2008047551.tif 000004
【図３】
2008047551.tif 000005
【図４】
2008047551.tif 000006
【図５】
2008047551.tif 000007
【図６】
2008047551.tif 000008
【図７】
2008047551.tif 000009
【図８】
2008047551.tif 000010
【図９】
2008047551.tif 000011
【図１０】
2008047551.tif 000012
【図１１】
2008047551.tif 000013
【図１２】
2008047551.tif 000014
【図１３】
2008047551.tif 000015
【図１４】
2008047551.tif 000016
【図１５】
2008047551.tif 000017
【図１６】
2008047551.tif 000018